(57)【要約】【課題】泡消火剤搬送車が近づけない場所にも泡消火剤を供給することができ、且つ長時間連続して泡消火剤を供給することが可能な泡消火システムを提供する。【解決手段】泡消火システムは、泡消火剤搬送車５０から泡消火剤が供給される第１の泡消火剤貯留槽５１と、該第１の泡消火剤貯留槽５１から泡消火剤が供給される第２の泡消火剤貯留槽５２と、該第２の泡消火剤貯留槽５２から泡消火剤が供給されると共に、水源から水が供給され、これらの泡消火剤と水とを混合して泡消火液として放射する泡放射砲５３とを備えている。第１の泡消火剤貯留槽５１及び第２の泡消火剤貯留槽５２は、それぞれ組み立て式水槽よりなる。【選択図】図１
2009066212.tif 000002
【特許請求の範囲】
【請求項１】
水と泡消火剤とを混合して泡消火液とし、この泡消火液を放射装置から放射する泡消火システムにおいて、
該泡消火剤が第１の泡消火剤貯留槽から第２の泡消火剤貯留槽を介して該放射装置へ供給されるように、該泡消火システムが構成されており、
該第１の泡消火剤貯留槽及び第２の泡消火剤貯留槽は、それぞれ組み立て式水槽よりなることを特徴とする泡消火システム。
【請求項２】
請求項１において、該組み立て式水槽は、
囲枠状の枠体と、
該枠体の内側に上開容器状に配置される水槽袋と
を備えてなる組み立て式水槽において、
該枠体は、該水槽袋の周囲に所定間隔をおいて立設された複数本の支柱と、該周囲方向に延在し、該支柱の上部同士を連結する上枠と、該周囲方向に延在し、該支柱の下部同士を連結する下枠と、該周囲方向に延在し、該支柱の高さ方向途中部同士を連結する中間枠とを有し、
該水槽袋は、水を収容したときに、その底部外周縁の一部が該下枠の上側へ膨出するように配置されるよう構成されていることを特徴とする泡消火システム。
【請求項３】
請求項１又は２において、複数個の該第２の泡消火剤貯留槽が設置され、前記第１の泡消火剤貯留槽から各第２の泡消火剤貯留槽を介してそれぞれ異なる前記放射装置に泡消火剤が供給されるように構成されていることを特徴とする泡消火システム。
【請求項４】
請求項１ないし３のいずれか１項において、さらに、第３の泡消火剤貯留槽が設置され、前記第１の泡消火剤貯留槽から前記第２の泡消火剤貯留槽及び該第３の泡消火剤貯留槽を順次経由して前記放射装置に泡消火剤が供給されるように構成されていることを特徴とする泡消火システム。
【請求項５】
請求項１ないし３のいずれか１項において、さらに、第３〜第ｎ（ｎは４以上の整数。）の泡消火剤貯留槽が多段に設置され、前記第１の泡消火剤貯留槽から前記第２の泡消火剤貯留槽及び該第３〜第ｎの泡消火剤貯留槽を順次経由して前記放射装置に泡消火剤が供給されるように構成されていることを特徴とする泡消火システム。
【発明の詳細な説明】
【技術分野】
【０００１】
本発明は、水と泡消火剤とを混合して泡消火液とし、この泡消火液を放射装置から放射して消火する泡消火システムに関する。
【背景技術】
【０００２】
水と泡消火剤とを混合して泡消火液とし、この泡消火液を放射装置から放射して消火する泡消火システムは周知である。
【０００３】
この泡消火システムは、石油コンビナートや化学工場等で火災が発生した場合の消火システムとして好適である。
【０００４】
特開平１１−１３７７０９号には、泡消火剤搬送車から化学消防車に泡消火剤を供給し、この化学消防車で泡消火剤と水とを混合して泡消火液とし、この泡消火液を該化学消防車から高所放水車に供給して該高所放水車から放水する泡消火システムが記載されている。
【０００５】
なお、本出願人は、組み立てを迅速に行うことができる組み立て式水槽を特開２００６−１３７４９２号にて提案している。
【特許文献１】特開平１１−１３７７０９号
【特許文献２】特開２００６−１３７４９２号
【発明の開示】
【発明が解決しようとする課題】
【０００６】
上記特開平１１−１３７７０９号のように、泡消火剤搬送車で泡消火剤を搬送する場合、火災現場付近の地形等によっては、泡消火剤搬送車が火災現場へ近づくことができないことがある。
【０００７】
また、例えば、石油タンクの火災を消火するためには多量の泡消火剤が必要となるが、泡消火剤搬送車から直接泡消火剤を供給する方法では、長時間連続して泡消火剤を供給することができない。
【０００８】
本発明は、泡消火剤搬送車が近づけない場所にも泡消火剤を供給することができ、且つ長時間連続して泡消火剤を供給することが可能な泡消火システムを提供することを目的とする。
【課題を解決するための手段】
【０００９】
請求項１の泡消火システムは、水と泡消火剤とを混合して泡消火液とし、この泡消火液を放射装置から放射する泡消火システムにおいて、該泡消火剤が第１の泡消火剤貯留槽から第２の泡消火剤貯留槽を介して該放射装置へ供給されるように、該泡消火システムが構成されており、該第１の泡消火剤貯留槽及び第２の泡消火剤貯留槽は、それぞれ組み立て式水槽よりなることを特徴とするものである。
【００１０】
請求項２の泡消火システムは、請求項１において、該組み立て式水槽は、囲枠状の枠体と、該枠体の内側に上開容器状に配置される水槽袋とを備えてなる組み立て式水槽において、該枠体は、該水槽袋の周囲に所定間隔をおいて立設された複数本の支柱と、該周囲方向に延在し、該支柱の上部同士を連結する上枠と、該周囲方向に延在し、該支柱の下部同士を連結する下枠と、該周囲方向に延在し、該支柱の高さ方向途中部同士を連結する中間枠とを有し、該水槽袋は、水を収容したときに、その底部外周縁の一部が該下枠の上側へ膨出するように配置されるよう構成されていることを特徴とするものである。
【００１１】
請求項３の泡消火システムは、請求項１又は２において、複数個の該第２の泡消火剤貯留槽が設置され、前記第１の泡消火剤貯留槽から各第２の泡消火剤貯留槽を介してそれぞれ異なる前記放射装置に泡消火剤が供給されるように構成されていることを特徴とするものである。
【００１２】
請求項４の泡消火システムは、請求項１ないし３のいずれか１項において、さらに、第３の泡消火剤貯留槽が設置され、前記第１の泡消火剤貯留槽から前記第２の泡消火剤貯留槽及び該第３の泡消火剤貯留槽を順次経由して前記放射装置に泡消火剤が供給されるように構成されていることを特徴とするものである。
【００１３】
請求項５の泡消火システムは、請求項１ないし３のいずれか１項において、さらに、第３〜第ｎ（ｎは４以上の整数。）の泡消火剤貯留槽が多段に設置され、前記第１の泡消火剤貯留槽から前記第２の泡消火剤貯留槽及び該第３〜第ｎの泡消火剤貯留槽を順次経由して前記放射装置に泡消火剤が供給されるように構成されていることを特徴とするものである。
【発明の効果】
【００１４】
本発明の泡消火システムにあっては、火災現場から離隔した地点に第１の泡消火剤貯留槽を設置し、それよりも火災現場の近傍に第２の泡消火剤貯留槽を設置し、該第１の泡消火剤貯留槽から第２の泡消火剤貯留槽を介して放射装置に泡消火剤を供給する。そのため、泡消火剤搬送車は、第１の泡消火剤貯留槽に泡消火剤を供給可能な地点まで行けばよく、該泡消火剤搬送車が火災現場の近くまで行かなくても、放射装置に泡消火剤を供給することができる。
【００１５】
本発明では、これらの泡消火剤貯留槽は組み立て式水槽よりなるため、泡消火剤搬送車が入り込みにくい場所にも容易に泡消火剤貯留槽を設置することができる。
【００１６】
また、これらの泡消火剤貯留槽に泡消火剤を貯留することにより、泡消火剤搬送車から直接放射装置に泡消火剤を供給する場合に比べて、泡消火剤を長時間連続して放射装置に供給することが可能となる。
【００１７】
組み立て式水槽としては、請求項２の構成のものが好ましい。この組み立て式水槽は、前記特開２００６−１３７４９２号に記載のものであり、容易に且つ迅速に組み立てることができる。また、この組み立て式水槽を組み立ててなる水槽にあっては、水槽袋は、水を収容したときに、その底部外周縁の一部が下枠の上側へ膨出するように配置される。従って、水槽袋内に水が供給されると、この水の重量によって下枠が上方から押え付けられる。そのため、水槽側壁の下部に大きな側圧がかかったり、側壁の一部に局部的に水流が当っても、側壁が傾いたり変形したりすることが防止される。
【００１８】
本発明では、請求項３のように、複数個の第２の泡消火剤貯留槽を設置し、第１の泡消火剤貯留槽から各第２の泡消火剤貯留槽を介してそれぞれ異なる放射装置に泡消火剤が供給されるように構成してもよい。このように構成した場合、複数個の放射装置を使用する場合でも、共通の第１の泡消火剤貯留槽から各放射装置に泡消火剤が供給されるため、この共通の第１の泡消火剤貯留槽にのみ泡消火剤搬送車により泡消火剤を補給すればよく、泡消火剤の補給作業を効率よく行うことが可能となる。
【００１９】
本発明では、請求項４，５のように、第１の泡消火剤貯留槽と放射装置との間に複数個の泡消火剤貯留槽を多段に設置し、第１の泡消火剤貯留槽からこれらの複数個の泡消火剤貯留槽を順次経由して放射装置に泡消火剤が供給されるように構成してもよい。
【発明を実施するための最良の形態】
【００２０】
以下に、図面を参照して本発明の実施の形態について説明する。
【００２１】
第１図は実施の形態に係る泡消火システムを概略的に示すフロー図であり、第２図はこの泡消火システムの第１の泡消火剤貯留槽及び第２の泡消火剤貯留槽の概略的な斜視図である。第３図はこれらの泡消火剤貯留槽の一例を示す斜視図である。
【００２２】
第１図の通り、この泡消火システムは、泡消火剤搬送車５０から泡消火剤が供給される第１の泡消火剤貯留槽５１と、該第１の泡消火剤貯留槽５１から泡消火剤が供給される第２の泡消火剤貯留槽５２と、該第２の泡消火剤貯留槽５２から泡消火剤が供給されると共に、水源から水が供給され、これらの泡消火剤と水とを混合して泡消火液として放射する放射装置としての泡放射砲５３等を備えている。なお、泡消火剤としては、市販の泡消火剤を使用すればよく、また水は、水道水、海水、河川水、湖水等のいずれを使用してもよい。
【００２３】
該第１の泡消火剤貯留槽５１及び第２の泡消火剤貯留槽５２は、それぞれ組み立て式水槽よりなる。
【００２４】
石油タンク（図示略）等で火災が発生した場合には、火災現場から離隔した地点に第１の泡消火剤貯留槽５１を設置すると共に、それよりも火災現場の近傍に第２の泡消火剤貯留槽５２を設置し、これらの第１の泡消火剤貯留槽５１と第２の泡消火剤貯留槽５２とを配管５４で接続する。なお、該第１の泡消火剤貯留槽５１は、駐車場等の比較的広いスペースに設置するのが好ましい。さらに、火災現場に向けて泡放射砲５３を設置し、該第２の泡消火剤貯留槽５２とこの泡放射砲５３とを配管５５で接続する。また、該泡放射砲５３に、海や貯水池等の水源からの給水管５６を接続する。
【００２５】
なお、第２図に示すように、この実施の形態では、２個の第２の泡消火剤貯留槽５２が設置され、それぞれ配管５４を介して共通の第１の泡消火剤貯留槽５１に接続されている。即ち、この実施の形態では、共通の第１の泡消火剤貯留槽５１に対し、２個の第２の泡消火剤貯留槽５２が並列に接続されている。また、各第２の泡消火剤貯留槽５２に、それぞれ配管５５を介して別々の泡放射砲５３が接続されている。符号Ｐは、各配管５４を介して第１の泡消火剤貯留槽５１から各第２の泡消火剤貯留槽５２に泡消火剤を圧送するポンプを示している。
【００２６】
一般的に、１０万ｋＬクラス（直径８０ｍクラス）のフローティングルーフ式の石油タンクの全面火災を泡放射砲で消火するには、容量４００００Ｌ／ｍｉｎの泡放射砲２基を同時に使用することが推奨される。泡消火剤を濃度３％に希釈して泡消火液とする場合には、この石油タンクの全面火災を消火するのに必要な泡消火剤の消費量は、１２００Ｌ／ｍｉｎ×２＝２４００Ｌ／ｍｉｎとなる。なお、通常の泡消火剤搬送車の法定容量は４ｍ３である。そのため、この泡消火剤搬送車から直接、泡放射砲に泡消火剤を供給するのでは、消火までに連続して泡放射砲に泡消火剤を供給することはできない。本発明では、第２の泡消火剤貯留槽５２として、容量約２０ｍ３の組み立て式水槽を２個、第１の泡消火剤貯留槽５１に並列に接続し、これらの第２の泡消火剤貯留槽５２からそれぞれ泡放射砲５３に泡消火剤を供給するように構成することが好ましい。
【００２７】
第１の泡消火剤貯留槽５１と各第２の泡消火剤貯留槽５２とを接続する配管５４としては、直径（内径）３０〜３５０ｍｍであり、長さが１〜５０ｍ程度のものが好ましい。また、この配管５４としては、可撓性ホースが好ましい。この可撓性ホースの材質としては、ポリ塩化ビニル樹脂、ポリエチレン樹脂、ポリプロピレン樹脂、ポリアミド樹脂、エチレンプロピレンゴム、ブチルゴム、ニトリルブタジエンゴム、ハロゲン化ブチルゴム、ナチュラルゴム、イソブチレンゴム等が好適である。他の配管５５，５６も、これと同様のものを用いることができる。ただし、配管５４〜５６の構成はこれに限定されない。
【００２８】
この実施の形態では、第１の泡消火剤貯留槽５１と各第２の泡消火剤貯留槽５２とをそれぞれ１本の配管５４で接続しているが、２本以上の配管５４で第１の泡消火剤貯留槽５１と各第２の泡消火剤貯留槽５２とを接続してもよい。また、この実施の形態では、各第２の泡消火剤貯留槽５２と各泡放射砲５３とをそれぞれ１本の配管５５で接続しているが、２本以上の配管５５で各第２の泡消火剤貯留槽５２と各泡放射砲５３とを接続してもよい。
【００２９】
第２図の通り、この実施の形態では、各配管５４，５５の末端側をそれぞれ各泡消火剤貯留槽５１，５２の上面開放部から各泡消火剤貯留槽５１，５２内に落とし込んでいるが、例えば、各泡消火剤貯留槽５１，５２の側面に各泡消火剤貯留槽５１，５２の内外を連通する配管接続口（図示略）を設け、この配管接続口に各配管５４，５５の末端を接続するように構成してもよい。この場合、該配管接続口と各配管５４，５５とを、所謂ワンタッチで接続及び接続解除可能な継手を介して接続するのが好ましい。このワンタッチタイプの継手としては、市販品を使用することができる。
【００３０】
第１の泡消火剤貯留槽５１、各第２の泡消火剤貯留槽５２及び各泡放射砲５３を設置した後、泡消火剤搬送車５０により該第１の泡消火剤貯留槽５１に泡消火剤を供給する。符号５７は、該泡消火剤搬送車５０の給液ホースを示している。なお、通常、この第１の泡消火剤貯留槽５１への泡消火剤の供給は、複数台の泡消火剤搬送車５０により繰り返し且つ連続して行われるが、本発明の泡消火システムにおいては、火災現場から離隔した、駐車場等の比較的広いスペースに第１の泡消火剤貯留槽５１を設置することができるため、この泡消火剤搬送車５０による第１の泡消火剤貯留槽５１への泡消火剤の供給作業を整然と行うことが可能である。
【００３１】
次いで、この第１の泡消火剤貯留槽５１から各配管５４を介して各第２の泡消火剤貯留槽５２に泡消火剤を送液する。そして、各泡放射砲５３に、各第２の泡消火剤貯留槽５２から配管５５を介して泡消火剤を供給すると共に、給水管５６を介して水源から水を供給し、泡消火剤と水とを混合して泡消火液とし、各泡放射砲５３から火元に泡消火液を放射する。
【００３２】
以上の通り、この泡消火システムにあっては、火災現場から離隔した地点に第１の泡消火剤貯留槽５１を設置し、火災現場近傍に第２の泡消火剤貯留槽５２を設置し、該第１の泡消火剤貯留槽５１から第２の泡消火剤貯留槽５２を介して泡放射砲５３に泡消火剤を供給するため、泡消火剤搬送車５０は、第１の泡消火剤貯留槽５１に泡消火剤を供給可能な地点まで行けばよく、該泡消火剤搬送車５０が火災現場の近くまで行かなくても、泡放射砲５３に泡消火剤を供給することができる。
【００３３】
本発明では、これらの泡消火剤貯留槽５１，５２はそれぞれ組み立て式水槽よりなるため、泡消火剤搬送車５０が入り込めない場所にも容易に設置することができる。
【００３４】
また、これらの泡消火剤貯留槽５１，５２に泡消火剤を貯留することにより、泡消火剤搬送車５０から泡放射砲５３に直接泡消火剤を供給する場合に比べて、泡放射砲５３に泡消火剤を長時間連続して供給することが可能である。
【００３５】
前述の通り、この実施の形態では、２基の泡放射砲５３を用いているが、２個の第２の泡消火剤貯留槽５２を設置し、共通の第１の泡消火剤貯留槽５１から各第２の泡消火剤貯留槽５２を介してこれらの泡放射砲５３にそれぞれ泡消火剤が供給されるように構成されているので、この共通の第１の泡消火剤貯留槽５１にのみ泡消火剤搬送車５０により泡消火剤を補給すればよく、泡消火剤の補給作業を効率よく行うことができる。
【００３６】
本発明においては、各泡消火剤貯留槽５１，５２を構成する組み立て式水槽としては、特開２００６−１３７４９２号に記載のものが好適である。以下に、第３図を参照して同号の組み立て式水槽について説明する。
【００３７】
特開２００６−１３７４９２号の組み立て式水槽１は、囲枠状の枠体２と、該枠体２の内側に上開容器状に配置される防水シート製の水槽袋４とを備えてなる。該水槽袋４は、略正方形の底面４ａと、該底面４ａの４辺にそれぞれ連なる４面の側壁４ｂとを有する。
【００３８】
第３図に示す通り、枠体２は、組み立てられた水槽１の各コーナー部及び各側壁の延在方向中間部（以下、単に「中間部」と称する。）にそれぞれ等間隔に立設される計８本の支柱６と、各支柱６の上部に連結される上枠８と、各支柱６の下部に連結される下枠１０と、各支柱６の高さ方向途中部に連結される中間枠１２と、水槽袋４の上側を横切って配置され、両端が中間部の支柱６，６の上部にそれぞれ連結される上側補助枠１４と、水槽袋４の下側を横切って配置され、両端が中間部の支柱６，６の下部にそれぞれ連結される下側補助枠（図示略）とを有している。
【００３９】
各支柱６は、地面上に設置される座板６ａと、該座板６ａから起立する棒状の支柱本体６ｂと、該支柱本体６ｂの上段、中段及び下段にそれぞれ設けられたフランジ６ｃと、各フランジ６ｃに設けられた係止穴（図示略）とを備えてなる。各フランジ６ｃは座板６ａよりも小径となっている。
【００４０】
下枠１０は、帯板状のものであり、板面を略水平方向にして水槽袋４の周囲部の下側に配置される。各下枠１０の両端側には、それぞれ、開口１０ａが設けられている。この開口１０ａは、各フランジ６ｃの通過は許容するが、座板６ａの通過は許容し得ない大きさとなっている。
【００４１】
上枠８及び中間枠１２は、それぞれ、隣り合う支柱６，６同士の間に架設される長さを有する棒状のものであり、両端に、前記係止穴に係合可能なフック部（符号略）が設けられている。
【００４２】
水槽袋４の各側壁４ｂの上縁には、該上枠８が挿通されるトンネル状の挿通部４ｃが設けられている。
【００４３】
上側補助枠１４は棒状のものであり、両端側には、それぞれ、支柱本体６ｂの上端側が挿通される挿通穴（図示略）が設けられている。この挿通穴は、フランジ６ｃの通過は許容し得ない大きさとなっている。
【００４４】
図示は省略するが、下側補助枠も帯板状のものであり、その両端側には、支柱本体６ｂが挿通される開口が設けられている。この開口も、各フランジ６ｃの通過は許容するが、座板６ａの通過は許容し得ない大きさとなっている。
【００４５】
この組み立て式水槽１を組み立てるに当っては、各支柱６を立て、隣接する支柱６，６に跨って各下枠１０を設置する。この際、下枠１０の開口に支柱本体６ｂが内挿される。下枠１０を支柱本体６ｂに沿って落し込み、該下枠１０の両端を座板６ａ上に重ねる。
【００４６】
次に、隣り合う支柱６，６の下段のフランジ６ｃ，６ｃ同士及び中段のフランジ６ｃ，６ｃ同士の間にそれぞれ中間枠１２を架け渡す。この際、中間枠１２のフック部を各フランジ６ｃの係止穴に係合させる。
【００４７】
中間枠１２を支柱６の全周にわたって設置した後、その内側に、水槽袋４を配置する。
【００４８】
次いで、この水槽袋４の各上枠挿通部４ｃにそれぞれ上枠８を挿通する。各上枠８は、隣り合う支柱６，６間に位置する。各上枠８の両端のフック部を各フランジ６ｃの係止穴に係合させることにより、上枠８が各支柱６間に架設される。
【００４９】
その後、中間部に位置する支柱６，６同士の間に上側補助枠１４を架け渡す。この際、上側補助枠１４の両端側の挿通穴に支柱６の支柱本体６ｂの上端部を差し込む。これにより、水槽１の組み立てが完了する。
【００５０】
この組み立て式水槽１は、容易に且つ迅速に組み立てることができる。
【００５１】
また、組み立てられた水槽１にあっては、帯板状の下枠１０が水槽袋４の底面４ａの周縁部の下側に配置される。従って、水槽袋４内に水が供給されると、この水の重量によって下枠１０が上方から押え付けられる。そのため、該水槽袋４の側壁４ｂの下部に大きな側圧がかかったり、側壁４ｂの一部に局部的に水流が当っても、側壁４ｂが傾いたり変形したりすることが防止される。
【００５２】
なお、本発明の泡消火剤貯留槽を構成する組み立て式水槽としては、上記の特開２００６−１３７４９２号の組み立て式水槽以外の組み立て式水槽を使用してもよい。
【００５３】
上記の実施の形態は、本発明の一例を示すものであり、本発明は上記の実施の形態に限定されない。
【００５４】
例えば、上記の実施の形態では、２個の第２の泡消火剤貯留槽５２が設置され、共通の第１の泡消火剤貯留槽５１から各第２の泡消火剤貯留槽５２を介して２基の泡放射砲５３にそれぞれ泡消火剤が供給されるように構成されているが、３個以上の第２の泡消火剤貯留槽５２が設置され、共通の第１の泡消火剤貯留槽５１から各第２の泡消火剤貯留槽５２を介して３基以上の泡放射砲５３にそれぞれ泡消火剤が供給されるように構成されてもよい。もちろん、本発明では、第２の泡消火剤貯留槽５２が１個だけ設置されてもよい。また、共通の第２の泡消火剤貯留槽５２を介して複数の泡放射砲５３にそれぞれ泡消火剤が供給されるように構成されてもよい。
【００５５】
上記の実施の形態では、第１の泡消火剤貯留槽５１から第２の泡消火剤貯留槽５２のみを介して泡放射砲５３に泡消火剤が供給されるように構成されているが、第１の泡消火剤貯留槽５１と泡放射砲５３との間に複数個の泡消火剤貯留槽が多段に設置され、第１の泡消火剤貯留槽５１からこれらの複数個の泡消火剤貯留槽を順次経由して泡放射砲５３に泡消火剤が供給されるように構成されてもよい。
【図面の簡単な説明】
【００５６】
【図１】実施の形態に係る泡消火システムを概略的に示すフロー図である。
【図２】泡消火システムの第１の泡消火剤貯留槽及び第２の泡消火剤貯留槽の概略的な斜視図である。
【図３】泡消火剤貯留槽の一例を示す斜視図である。
【符号の説明】
【００５７】
１  組み立て式水槽
２  枠体
４  水槽袋
６  支柱
８  上枠
１０  下枠
１２  中間枠
１４  上側補助枠
５０  泡消火剤搬送車
５１  第１の泡消火剤貯留槽
５２  第２の泡消火剤貯留槽
５３  泡放射砲
５４，５５  配管
５６  給水管
【図１】
2009066212.tif 000003
【図２】
2009066212.tif 000004
【図３】
2009066212.tif 000005